【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
ＩＣ（Ｉｎｔｅｇｒａｔｅｄ  Ｃｉｒｃｕｉｔ）と、
第１方向に延長され、前記ＩＣに電気的に連結された複数の配線ビア、前記複数の配線ビアに電気的に連結された複数の配線、及び前記複数の配線を囲む接地層を含む連結部材と、を含み、
前記連結部材は、
第２方向に延長され、前記複数の配線に電気的に連結された複数の給電線路と、
前記連結部材の第１層に配置され、前記複数の給電線路に電気的に連結された複数のダイポールアンテナと、
前記連結部材の第２層に配置され、前記接地層及び前記複数のダイポールアンテナから分離された複数の第１アーム部材と、を含み、
前記複数の第１アーム部材の少なくとも一部分は、前記複数のダイポールアンテナに前記第１方向に重なるように配置された、アンテナモジュール。
【請求項２】
複数のパッチアンテナと、
第１方向に延長され、前記複数のパッチアンテナに結合される複数の給電ビアと、
複数の配線と前記複数の配線を囲む接地層を含み、前記複数の給電ビアに電気的に連結された連結部材と、を含み、
前記連結部材は、
第２方向に延長され、前記複数の配線に電気的に連結された複数の給電線路と、
前記連結部材の第１層に配置され、前記複数の給電線路に電気的に連結された複数のダイポールアンテナと、
前記連結部材の第２層に配置され、前記接地層及び前記複数のダイポールアンテナから分離された複数の第１アーム部材と、を含み、
前記複数の第１アーム部材の少なくとも一部分は、前記複数のダイポールアンテナに前記第１方向に重なるように配置された、アンテナモジュール。
【請求項３】
前記複数の第１アーム部材は、前記複数のダイポールアンテナよりも大きい、請求項１または２に記載のアンテナモジュール。
【請求項４】
前記連結部材は、
前記連結部材の第３層に配置された複数の第２アーム部材をさらに含み、
前記複数のダイポールアンテナは、前記複数の第１アーム部材と前記複数の第２アーム部材との間に配置された、請求項１から３のいずれか一項に記載のアンテナモジュール。
【請求項５】
前記複数の給電線路の幅は、前記複数の配線の幅よりも広い、請求項１から４のいずれか一項に記載のアンテナモジュール。
【請求項６】
前記連結部材は、
前記接地層に電気的に連結され、前記接地層で前記複数のダイポールアンテナに向かって偏って位置する境界線に沿って配列された複数の遮蔽ビアをさらに含む、請求項１から５のいずれか一項に記載のアンテナモジュール。
【請求項７】
ＩＣ（Ｉｎｔｅｇｒａｔｅｄ  Ｃｉｒｃｕｉｔ）と、
第１方向に延長され、前記ＩＣに電気的に連結された複数の配線ビア、前記複数の配線ビアに電気的に連結された複数の配線、及び前記複数の配線を囲む接地層を含む連結部材と、を含み、
前記連結部材は、
第２方向に延長され、前記複数の配線に電気的に連結された複数の給電線路と、
前記連結部材の第１層に配置され、前記複数の給電線路に電気的に連結された複数のダイポールアンテナと、
前記接地層に電気的に連結され、少なくとも一部が前記接地層で前記複数のダイポールアンテナに向かって偏って位置する境界線に沿って配列された複数の遮蔽ビアと、を含む、アンテナモジュール。
【請求項８】
複数のパッチアンテナと、
第１方向に延長され、前記複数のパッチアンテナに結合される複数の給電ビアと、
複数の配線と前記複数の配線を囲む接地層を含み、前記複数の給電ビアに電気的に連結された連結部材と、を含み、
前記連結部材は、
第２方向に延長され、前記複数の配線に電気的に連結された複数の給電線路と、
前記連結部材の第１層に配置され、前記複数の給電線路に電気的に連結された複数のダイポールアンテナと、
前記接地層に電気的に連結され、少なくとも一部が前記接地層で前記複数のダイポールアンテナに向かって偏って位置する境界線に沿って配列された複数の遮蔽ビアと、を含む、アンテナモジュール。
【請求項９】
前記複数の遮蔽ビアの他の一部は、前記複数の配線を囲むように配置された、請求項６から８のいずれか一項に記載のアンテナモジュール。
【請求項１０】
前記複数の第１アーム部材と前記複数のダイポールアンテナとの間の間隔は、前記複数のパッチアンテナと前記接地層との間の間隔より短い、請求項２に記載のアンテナモジュール。
【請求項１１】
前記複数のパッチアンテナから分離され、前記複数のパッチアンテナに前記第１方向に重なるように配置された複数のディレクター部材をさらに含む、請求項２または８に記載のアンテナモジュール。
【請求項１２】
請求項１から１１のいずれか一項に記載のアンテナモジュールと、
前記アンテナモジュールに電気的に連結された基板と、を含む、電子機器。
【手続補正２】
【補正対象書類名】明細書
【補正対象項目名】０１２７
【補正方法】変更
【補正の内容】
【０１２７】
１００  アンテナ装置
１１０ａ  給電線路（ｆｅｅｄｉｎｇ  ｌｉｎｅ）
１１０ｂ  給電ビア（ｆｅｅｄｉｎｇ  ｖｉａ）
１１５  インピーダンス変換線路
１２０  アンテナ部材
１２５  ディレクター（ｄｉｒｅｃｔｏｒ）部材
１３０  グランド部材
１３１  グランドビア
１３５  第２グランド部材
１４０  第３グランド部材
１４５  第５グランド部材
１５０  ポールビア（ｐｏｌｅ  ｖｉａ）
１５５  第４グランド部材
２００  連結部材
２１０  配線層
２２５  グランド層
２４５  遮蔽ビア
１１１０  ディレクター部材
１１１５  アンテナ部材
１１２０  給電ビア（ｔｈｒｏｕｇｈ  ｖｉａ）
１１３０  キャビティ（ｃａｖｉｔｙ）
１１４０  誘電層
１１５０  仕上げ（ｅｎｃａｐｓｕｌａｔｉｏｎ）部材
１１６０  めっき（ｐｌａｔｉｎｇ）部材
１１７０  チップアンテナ
１１７５  ダイポールアンテナ
１２１０、１３１０  配線層
１２２０、２８０  絶縁層
１２３０  配線ビア
１２４０、１３３０  接続パッド
１２５０、２８５  パッシベーション（ｐａｓｓｉｖａｔｉｏｎ）層
１２９０、１３４０  電気連結構造体
１３００、１３０１  ＩＣ（Ｉｎｔｅｇｒａｔｅｄ  Ｃｉｒｃｕｉｔ）
１３０２  ＰＭ（Ｐｏｗｅｒ  Ｍａｎａｇｅｍｅｎｔ）ＩＣ
１３０５  封止材
１３０６  収容空間
１３２０  下端配線層
１３３０  接続パッド
１３５０、１３５１、１３５２、１３５３  受動部品
１３５５  コア部材
３５６  コア誘電層
１３５７、１３５８、１３５９  コア配線層
１３６０  コアビア
１３６５、３７０  コアめっき部材
［項目１］
少なくとも１つの配線層、及び少なくとも１つの絶縁層を含む連結部材と、
上記連結部材の第１面上に配置され、上記少なくとも１つの配線層に電気的に連結されたＩＣと、
ＲＦ信号を送信または受信するように構成された複数の第１アンテナ部材、及び一端が上記複数の第１アンテナ部材にそれぞれ電気的に連結され、他端が上記少なくとも１つの配線層の対応する配線にそれぞれ電気的に連結された複数の給電ビアを含み、上記連結部材の第２面上に配置されるアンテナパッケージと、を含むアンテナモジュールであって、
上記連結部材は、
一端が上記少なくとも１つの配線層に電気的に連結された給電線路と、
上記給電線路の他端に電気的に連結され、ＲＦ信号を送信または受信するように構成された第２アンテナ部材と、
上記給電線路から上記連結部材の上記第１面または上記第２面に向かう方向に離隔配置されたグランド部材と、を含む、アンテナモジュール。
［項目２］
上記第２アンテナ部材は、第１ポールと第２ポールを含むダイポール（ｄｉｐｏｌｅ）形態を有し、
上記給電線路は、上記第１ポールと上記第２ポールにそれぞれ電気的に連結される第１給電線路と第２給電線路で構成され、
上記グランド部材は、上記第１給電線路から上記第２給電線路までの距離よりは長く、且つ上記第１ポールと第２ポールの総長さよりは短い長さの幅を有する、項目１に記載のアンテナモジュール。
［項目３］
上記第２アンテナ部材は、上記第２アンテナ部材の固有の周波数帯域と、上記グランド部材の幅によって決定される拡張周波数帯域と、をともに有するように構成された、項目１または２に記載のアンテナモジュール。
［項目４］
上記連結部材は第２グランド部材をさらに含み、
上記第２グランド部材は、上記給電線路が上記グランド部材と上記第２グランド部材との間に配置されるように、上記給電線路から上記連結部材の上記第２面または上記第１面に向かう方向に離隔配置される、項目１から３のいずれか一項に記載のアンテナモジュール。
［項目５］
上記連結部材は、
上記第２アンテナ部材から上記連結部材の上記第１面及び上記第２面に向かう方向にそれぞれ離隔配置された第３及び第４グランド部材をさらに含み、
上記第３及び第４グランド部材のうち１つは、上記連結部材において上記グランド部材と同一の層に配置され、上記第３及び第４グランド部材のうち他の１つは、上記連結部材において上記第２グランド部材と同一の層に配置される、項目４に記載のアンテナモジュール。
［項目６］
上記連結部材は、
上記第２アンテナ部材から上記連結部材の上記第１面及び上記第２面に向かう方向にそれぞれ離隔配置された第３及び第４グランド部材をさらに含む、項目１から５のいずれか一項に記載のアンテナモジュール。
［項目７］
上記連結部材は、
上記第２アンテナ部材よりも上記連結部材の中心に近接して配置され、上記第３グランド部材と上記第４グランド部材とを互いに連結させる第５グランド部材をさらに含み、
上記第５グランド部材は、上記第２アンテナ部材の一部と上記グランド部材との間を遮り、上記第２アンテナ部材の他の一部と上記グランド部材との間を開放するように配置される、項目６に記載のアンテナモジュール。
［項目８］
上記第２アンテナ部材は、第１ポールと第２ポールを含むダイポール（ｄｉｐｏｌｅ）形態を有し、
上記第３及び第４グランド部材は、上記第１ポールと上記第２ポールとの間で上記連結部材の上記第１面及び上記第２面に向かう方向に離隔して位置する第１及び第２ギャップ（ｇａｐ）をそれぞれ有する、項目６または７に記載のアンテナモジュール。
［項目９］
上記連結部材は、
上記第１ポールと上記第２ポールのうち１つを上記第３グランド部材と上記第４グランド部材のうち１つと連結するポールビア（ｐｏｌｅ  ｖｉａ）をさらに含む、項目８に記載のアンテナモジュール。
［項目１０］
上記連結部材は、
上記第３グランド部材と上記第４グランド部材との間に配置され、上記第１及び第２ギャップの間を通過するように配置され、上記第２アンテナ部材から離隔配置されるディレクター部材をさらに含む、項目８または９に記載のアンテナモジュール。
［項目１１］
上記連結部材は、
上記給電線路と上記第２アンテナ部材との間に電気的に連結された第２給電ビアをさらに含み、
上記グランド部材は、上記給電ビアから側面に離隔配置される、項目１から１０のいずれか一項に記載のアンテナモジュール。
［項目１２］
上記連結部材は、
上記給電線路と上記第２アンテナ部材との間に電気的に連結されたインピーダンス変換線路をさらに含み、
上記グランド部材は、上記インピーダンス変換線路から上記連結部材の上記第１面または上記第２面に向かう方向に離隔配置される、項目１から１１のいずれか一項に記載のアンテナモジュール。
［項目１３］
上記連結部材は、
上記連結部材において上記給電線路と同一の高さに配置され、上記給電線路から離隔配置されたグランド層と、
上記少なくとも１つの配線層と上記第２アンテナ部材との間を遮るように上記グランド層上に立てられた複数の遮蔽ビアと、をさらに含む、項目１から１２のいずれか一項に記載のアンテナモジュール。
［項目１４］
上記アンテナパッケージは、
上記複数の給電ビアのそれぞれの側面を囲むように配置され、上記少なくとも１つの絶縁層の高さより長い高さを有する誘電層と、
上記複数の給電ビアのそれぞれの側面を囲むように上記誘電層内に配置されためっき部材と、をさらに含む、項目１から１３のいずれか一項に記載のアンテナモジュール。
［項目１５］
それぞれ一端がＩＣに電気的に連結された第１及び第２給電線路と、
それぞれ上記第１及び第２給電線路の他端に電気的に連結され、ＲＦ信号を送信または受信するように構成された第１及び第２ポールと、
それぞれ上記第１及び第２給電線路から互いに対向する方向に離隔配置されており、上記第１給電線路から上記第２給電線路までの距離よりは長く、且つ上記第１ポールと第２ポールの総長さよりは短い長さの幅をそれぞれ有する第１及び第２グランド部材と、を含むデュアルバンドアンテナ装置であって、
上記第１及び第２ポールは、ダイポール（ｄｉｐｏｌｅ）の固有の周波数帯域と、上記第１及び第２グランド部材の幅によって決定され、上記固有の周波数帯域と異なる拡張周波数帯域と、をともに有するように構成される、デュアルバンドアンテナ装置。
［項目１６］
一側面視においてＵ字状を有し、上記第１ポールに電磁気的に結合される第１アーム部材と、
一側面視においてＵ字状を有し、上記第２ポールに電磁気的に結合される第２アーム部材と、
上記第１アーム部材と上記第１ポールを互いに連結するポールビアと、をさらに含む、項目１５に記載のデュアルバンドアンテナ装置。
【手続補正３】
【補正対象書類名】明細書
【補正対象項目名】発明の名称
【補正方法】変更
【補正の内容】
【発明の名称】アンテナモジュール及び電子機器